(57)【要約】【課題】拡大光学素子（２）と、ユーザの頭部に装着することができるヘッド・マウント（６）に拡大光学素子（２）を固定する結合機構（５）とを備えているヘッド・ルーペを提供する。【解決手段】結合機構（５）は、旋回軸（Ｓ１，Ｓ２）を中心にヘッド・マウント（６）に対する拡大光学素子（２）の旋回を可能にする旋回機構（５）と、拡大光学素子（２）と旋回軸（Ｓ２）またはヘッド・マウント（６）との間の距離の調節を、長手方向軸に沿って拡大光学素子（２）を移動させることによって可能とする調節機構とを備えており、旋回機構は、拡大光学素子（２）に旋回角度範囲を設け、拡大光学素子（２）の異なる旋回角度の設定および固定を可能とし、前記角度は旋回角度範囲内に入り、旋回軸（Ｓ１）はヘッド・ルーペ（１）の装着状態においてユーザのヘッドの前方に延出し、調節機構が伸縮ロッド（８）を備えており、拡大光学素子をその前端（１４）に装着する。【選択図】      図２
2007140523.tif 000002
【特許請求の範囲】
【請求項１】
拡大光学素子（２）と、ユーザの頭部に装着することができるヘッド・マウント（６）に前記拡大光学素子（２）を固定する結合機構（５）とを備えているヘッド・ルーペであって、
前記結合機構（５）は、旋回軸（Ｓ１，Ｓ２）を中心にヘッド・マウント（６）に対する拡大光学素子（２）の旋回を可能にする旋回機構（５）と、前記拡大光学素子（２）と旋回軸（Ｓ２）またはヘッド・マウント（６）との間の距離の調節を、長手方向軸に沿って拡大光学素子（２）を移動させることによって可能とする調節機構とを備えており、
前記旋回機構は、拡大光学素子（２）に旋回角度範囲を設け、前記拡大光学素子（２）の異なる旋回角度の設定および固定を可能とし、前記角度は旋回角度範囲内に入り、
前記旋回軸（Ｓ１）はヘッド・ルーペ（１）の装着状態においてユーザのヘッドの前方に延出し、
前記調節機構が伸縮ロッド（８）を備えており、前記拡大光学部品を前記伸縮ロッド（８）の前端（１４）に装着することを特徴とする、ヘッド・ルーペ。
【請求項２】
請求項１に記載のヘッド・ルーペにおいて、前記旋回機構は、別の旋回軸（Ｓ２）を中心とする前記拡大光学部品（２）の旋回を可能とし、前記調節機構は、前記拡大光学素子（２）を長手方向軸に沿って移動させることにより、両旋回軸（Ｓ１，Ｓ２）間の距離の調節を可能とする、ヘッド・ルーペ。
【請求項３】
請求項２に記載のヘッド・ルーペにおいて、前記別の旋回軸（Ｓ２）は、前記ヘッド・ルーペ（１）の装着状態において、ユーザの頭部の前方に延出する、ヘッド・ルーペ。
【請求項４】
前出の請求項のいずれか１項に記載のヘッド・ルーペにおいて、前記伸縮ロッドは連続的な距離の調節を可能にする、ヘッド・ルーペ。
【請求項５】
前出の請求項のいずれか１項に記載のヘッド・ルーペにおいて、前記拡大光学素子（２）は、２つの接眼レンズ（３，４）を備えており、該接眼レンズの各々がユーザの目の一方に割り当てられている、ヘッド・ルーペ。
【請求項６】
請求項５に記載のヘッド・ルーペにおいて、前記２つの接眼レンズは、前記旋回軸（複数の旋回軸）（Ｓ１，Ｓ２）を中心に旋回可能な接眼レンズ支持部（７）に取り付けられている、ヘッド・ルーペ。
【請求項７】
請求項６に記載のヘッド・ルーペにおいて、前記伸縮ロッド（８）の前端は、両接眼レンズ（３，４）の中央において、前記接眼レンズ支持部（７）に接続されている、ヘッド・ルーペ。
【請求項８】
前出の請求項のいずれか１項に記載のヘッド・ルーペにおいて、前記拡大光学素子（２）は、前記伸縮ロッド（８）の前端に旋回可能に、蝶番で取り付けられている、ヘッド・ルーペ。
【請求項９】
前出の請求項のいずれか１項に記載のヘッド・ルーペにおいて、前記伸縮ロッドの前端は、人間工学的な形状とした把持領域を備えている、ヘッド・ルーペ。
【請求項１０】
前出の請求項のいずれか１項に記載のヘッド・ルーペにおいて、前記結合機構（５）は、前記ヘッド・マウント（６）に取り外し可能に接続可能である、ヘッド・ルーペ。
【請求項１１】
前出の請求項のいずれか１項に記載のヘッド・ルーペにおいて、前記ヘッド・マウント（６）は前記ヘッド・ルーペ（１）の一部である、ヘッド・ルーペ。
【請求項１２】
前出の請求項のいずれか１項に記載のヘッド・ルーペにおいて、前記旋回角度は、前記旋回角度範囲内において連続的に調節可能である、ヘッド・ルーペ。
【発明の詳細な説明】
【技術分野】
【０００１】
本発明は、拡大光学素子と、ユーザの頭部に装着することができるヘッド・マウントにこの拡大光学素子を固定する結合機構とを備えているヘッド・ルーペ(head magnifier)に関し、結合機構は、旋回軸を中心にヘッド・マウントに対する拡大光学素子の旋回を可能にする旋回機構と、拡大光学素子と旋回軸またはヘッド・マウントとの間の距離を、長手方向軸に沿って拡大光学素子を移動させることによって、調節可能とする調節機構とを備えており、旋回機構は、拡大光学素子に旋回角度範囲を規定し、拡大光学素子の異なる旋回角度の設定および固定を可能とし、前記角度は旋回角度範囲内に入り、旋回軸はヘッド・ルーペの装着状態においてユーザのヘッドの前方に延出する。
【背景技術】
【０００２】
このようなヘッド・ルーペは、例えば、米国特許第６，６６７，８３２Ｂ２号から公知であり、調節機構はロッドを備え、ロッド上においてキャリアとこれに固定された拡大光学素子を長手方向に移動させることができる。これは、ユーザの目と拡大光学素子との間が最短距離の場合、キャリアに対してロッドが前方に突出するという欠点がある。このロッドの突出部分の長さは、拡大光学素子とユーザの目との間の最大距離に実質的に対応する。したがって、拡大光学素子とユーザの目との間の距離に対する調節の所定範囲では、拡大光学素子とユーザの目との間に最大距離が設定されていない場合には、ロッドが常に拡大光学素子に対して前方に突出して望ましくない。
【０００３】
ＤＥ２８  ０２  ９４０  Ｃ２に記載されているヘッド・ルーペでは、ヘッド・ルーペの装着状態において、旋回軸が頭部の前面および背面間のほぼ中間に延びるという欠点がある。拡大光学素子はユーザの目の前方に配置されるので、拡大光学素子によって生ずる旋回の影響力、即ち、トルクが大きくなる。一方では、ヘッド・ルーペを身につけたときに不快であり、他方では、正確な旋回を得るためには大きな機械的動力が必要となり、したがってヘッド・ルーペのユーザの対応する目視角度に対する正確な調節が必要となる。
【発明の開示】
【発明が解決しようとする課題】
【０００４】
以上のことに鑑み、本発明の目的は、前述した欠点を殆ど完全に克服するヘッド・ルーペを提供することにある。
【課題を解決するための手段】
【０００５】
本発明によれば、先に述べたようなヘッド・ルーペによって前述の目的を達成する。調節機構は、伸縮ロッドを備えており、伸縮ロッドの前端には拡大光学素子が取り付けられている。伸縮ロッドを設けることにより、拡大光学素子とユーザの目との間の距離に対して設けられた調節範囲には関係なく、拡大光学素子から突出する部分を最少に抑え、規定することが可能となる。このように、突出部分は、拡大光学素子とユーザの目との間の設定距離には依存しない。これは、特に、米国特許第６，６６７，８３２Ｂ２号のヘッド・ルーペと比較すると、短い距離の場合に有利である。
【０００６】
伸縮ロッド即ち伸縮エレメントは、具体的には、互いの中において変位可能に誘導される複数の薄壁管から成り、管の断面は、幅の方が高さよりも大きいことが好ましい。特に、伸縮ロッドは２本、３本またはそれ以上の管を備えている。
【０００７】
具体的には、伸縮ロッドは、外管内にある内管のいずれの位置にでも締め付けまたは摩擦係合によって、それぞれ、外管を固定するように設けるとよい。好ましくは、伸縮ロッドの個々の管の位置が通常の使用中に固定されるように、力を選択する。ユーザは、伸縮ロッドの前端を引くまたは押すことによって、距離を変更することができる。
【０００８】
具体的には、拡大光学素子を伸縮ロッドの前端に蝶番で接続するとよい。前記蝶番接続は、ヘッド・ルーペの旋回軸、または別の旋回軸とすることがきる。両旋回軸は平行であることが好ましい。
【０００９】
伸縮ロッドは、その長さの変更が長手方向に沿って行われるように設けられる。
旋回軸はユーザの頭部の前方に延出するので、旋回アームは、旋回軸がヘッドの前後間の領域に延びる場合と比較すると、遥かに短くなる。このため、一方ではトルクが減少し、身に着けたときの快適さが向上し、他方では旋回角度の正確な調節のために必要な機械的動力が減少する。ＤＥ２８  ０２  ９４０  Ｃ２と比較して、旋回アームが短いものの旋回範囲が同一であるため、旋回角度範囲は更に広がる。
【００１０】
ヘッド・ルーペは調節機構も備えているので、拡大光学素子の旋回角度は、目視方向毎に最適に選択することができ、同時に、拡大光学素子とユーザの目との間の距離を最少に抑えるかまたは一定に保持することができ、例えば、目と拡大光学素子との間の距離が大き過ぎる場合に生ずる、望ましくない視野の制限（鍵孔効果）を回避することができる。
【００１１】
ヘッド・ルーペの装着状態とは、拡大光学素子が結合機構を介してヘッド・マウントに装着され、ヘッド・マウントがユーザの頭部に付けられている状態である。
長手方向軸は、調節機構が拡大光学素子の直線的移動を可能にするように、直線状に延びることが好ましい。しかしながら、長手方向軸が湾曲しており、調節機構が湾曲経路線に沿って拡大光学素子の移動を規定するようにしてもよい。いずれの場合でも、長手方向軸に沿った拡大光学素子の移動により、拡大光学素子と旋回軸またはヘッド・マウントのいずれかとの間の距離が変化する。調節機構は、純粋な回転運動や旋回運動を実現することはできず、常に長手方向運動を行わせる。
【００１２】
ヘッド・ルーペの旋回機構は、更に、別の旋回軸を中心に拡大光学素子の旋回を可能にすることもでき、調節機構は、長手方向軸に沿って拡大光学素子を移動させることによって、両旋回軸間の距離の調節を可能にする。これによって、目視角度毎に拡大光学素子における最適な調節に対する自由度が高まる。即ち、別の旋回軸は、ユーザの視野外でヘッド・ルーペを旋回させるためにも用いることができるので、ユーザは、ヘッド・ルーペを身についていても、望むのであれば、ヘッド・ルーペを通さずに目視すべき物体を目視することもできる。
【００１３】
ヘッド・ルーペの装着状態では、別の旋回軸は特にユーザの頭部前方に延びている。これによって、拡大光学素子から別の旋回軸までの距離を最小とし、トルクを減少させることが可能となる。トルクの減少により、ユーザが身に着けるときの快適さが増す。何故なら、ヘッド・マウントが鼻支持部を備えている場合よりも、例えば、ユーザの鼻にかかる圧力が低くなるからである。
【００１４】
特に、調節機構は、連続的な距離調節を可能にするように設けられている。このため、至高の正確さで所望の設定を行うことができる。具体的には、摩擦係合または摩擦力によって、それぞれ、連続調節可能性を実現する。
【００１５】
拡大光学素子は、具体的には、２つの接眼レンズを備えており、前記接眼レンズの各々はユーザの目の１つに割り当てられている。即ち、これはステレオ・ヘッド・ルーペも可能にする。
【００１６】
両接眼レンズは、旋回軸（複数の軸）を中心に旋回可能な接眼レンズ支持部に固定するとよい。これによって、両接眼レンズが常に同じ軸を中心に旋回することが確実となる。
調節機構は、伸縮ロッドを備えるとよい。即ち、伸縮ロッドの（前）端部を、両接眼レンズ間の中央にある接眼レンズ支持部に接続するとよい。こうして、非常に小さく簡潔なヘッド・ルーペが得られ、距離は所望通りに設定することができる。
【００１７】
伸縮ロッドの前端は、人間工学的に設計した把持領域（即ち、親指および人差し指のため）を備えるとよい。
具体的には、結合機構を取り外し可能にヘッド・マウントに取り付け可能とするとよい。更に、ヘッド・マウントはヘッド・ルーペの一部であってもよい。例えば、ヘッド・マウントは１対の眼鏡でもよく、あるいは眼鏡のように設計してもよい。しかしながら、他のあらゆる種類のヘッド・マウントも可能であり、具体的には、ヘルメット型マウント、あるいはその他の装着可能または締め付け可能なマウントがある。
【００１８】
旋回機構は、旋回角度が旋回角度範囲内で連続的に調節可能であるように設けるとよい。この目的は、例えば、摩擦係合によって満たすことができる。
【発明を実施するための最良の形態】
【００１９】
以下に、一例として、そして図面を参照しながら、本発明について更に詳しく説明する。
図１に示す実施形態では、ヘッド・ルーペ１は、２つの接眼レンズ３、４を有する拡大光学素子２、および結合機構５を備えている。結合機構５には拡大光学素子２が取り付けられており、結合機構５は、ユーザの頭部上に装着することができるヘッド・マウント６に拡大光学素子２を接続するように機能する。この場合、ヘッド・マウント６は眼鏡のように設けられる。
【００２０】
例えば、図２から明白なように、結合機構５は、接眼レンズ支持部７を備えており、これに両接眼レンズ３、４が取り付けられる。両接眼レンズ３、４間の距離は、ユーザの瞳間距離に応じて選択することが好ましい。即ち、接眼レンズ支持部７は、両接眼レンズ３および４の間の距離を調節可能であるように設けるとよい。
【００２１】
接眼レンズ支持部７は、伸縮ロッド８の先頭エレメント９に旋回可能に蝶番で取り付けられ、接眼レンズ支持部７、したがって接眼レンズ３および４を旋回軸Ｓ１を中心に旋回できるようになっている。旋回可能な蝶番接続は、例えば、５０゜の旋回角度範囲が可能となるように設計する。前記旋回角度範囲内に入る旋回角度は、連続的に調節可能かつ固定可能である。これは、ここでは、接眼レンズ支持部７と先頭エレメント９との間の摩擦係合によって遂行されるので、設定した旋回角度が維持される。前記角度は、加える力を増大するだけでずらすことができる。
【００２２】
前方エレメント９に加えて、伸縮ロッド８は２つの更に別のエレメント、ここでは１０、１１も備えており、後方エレメント１１は、その後端蝶番が旋回可能にアダプタ１２に接続されており、前記アダプタは接合機構５をヘッド・マウント６に接続するように機能する。後方エレメント１１のアダプタ１２への旋回蝶番接続により、伸縮ロッド８の第２旋回軸Ｓ２を中心とした旋回が可能となる。ここでは、後方エレメント１１とアダプタ１２との間に摩擦係合もあるので、所望の旋回位置が容易に調節可能となる。
【００２３】
２本の旋回軸Ｓ１およびＳ２、ならびに伸縮ロッド８による２本の旋回軸Ｓ１およびＳ２間の距離が調節可能なことにより、接眼レンズ３および４を、ユーザの全視野角に対して最適な旋回位置に配置することが可能となり、同時にユーザの目または眼鏡のレンズに対して、それぞれ、できるだけ近づけて配置することが可能となる。このため、目と接眼レンズとの間の距離が大き過ぎることに起因する不利な鍵孔効果を回避することができる。
【００２４】
図１から図３に示す実施形態では、伸縮ロッド８は（図３における水平線（図示せず）に対して）約３０゜下方に傾斜しており、接眼レンズ３、４は水平線に対して約１５゜下方に傾斜している。
【００２５】
接眼レンズ３、４は、ここでは、約２０から６０ｃｍの作業距離（即ち、接眼レンズの前端と目視する物体との間の距離）、特に、３０から５０ｃｍの作業距離が得られるように設計されている。好ましくは、接眼レンズの位置を目視方向に適応させるには、第１旋回軸Ｓ１を中心に旋回させる。第２旋回軸Ｓ２は、ヘッド・ルーペを上方に折り曲げ、ユーザが、ヘッド・ルーペを身に付けつつ、ヘッド・ルーペなしでも物体を見ることができるようにすることが好ましい。
【００２６】
図４は、両旋回軸Ｓ１およびＳ２間の距離を最短にするように最大限引っ込めた伸縮ロッド８を示す。更に、両軸Ｓ１およびＳ２に対する旋回角度は約０゜である。これは、例えば、ユーザが真っ直ぐ前を見るときには、好ましい設定である。
【００２７】
図５は、第２旋回軸Ｓ２を中心に９０゜上に向けて折り曲げたヘッド・ルーペ１を示す。この場合、ユーザは、ヘッド・ルーペ１なしで、目視すべき物体を見ることができる。
伸縮ロッド８の前方エレメントの前端１４は、把持領域を形成するように、人間工学的に形成するとよい。つまり、ユーザは、例えば、彼の親指と人差し指との間で前端１４を掴み、それぞれ、引くまたは押すことにより、そして旋回させることにより、接眼レンズの所望の方位および位置を設定することができる。
【００２８】
更に、伸縮ロッド８の第２、そして、任意に、第３エレメント１０、１１の底面にスロットを設け、接眼レンズ支持部７を蝶番で取り付けられる前方エレメント９の延長部１５をこのスロットの中に引っ込め、一緒に押し込んだときに、伸縮ロッドの全長が、図４における図と比較して、なおも短くなるようにすることができる。
【図面の簡単な説明】
【００２９】
【図１】一実施形態によるヘッド・ルーペの拡大上面図。
【図２】図１のヘッド・ルーペの結合機構および拡大光学素子の拡大図。
【図３】図２の結合機構および拡大光学素子の拡大側面図。
【図４】引っ込めた伸縮ロッドを示す側面図。
【図５】ヘッド・ルーペを上向きに折り曲げた状態を示す側面図。
【図１】
2007140523.tif 000003
【図２】
2007140523.tif 000004
【図３】
2007140523.tif 000005
【図４】
2007140523.tif 000006
【図５】
2007140523.tif 000007
【外国語明細書】
2007140523.tif 000008
2007140523.tif 000009
2007140523.tif 000010
2007140523.tif 000011
2007140523.tif 000012
2007140523.tif 000013
2007140523.tif 000014
2007140523.tif 000015
2007140523.tif 000016
2007140523.tif 000017
2007140523.tif 000018